(57)【要約】飛翔体位置測定システムとして複数の受信局と中央局を含み、複数の受信局は、飛翔体から送出された複数信号をそれぞれ受信信号として受信して、中央局にそれぞれの受信信号を各々通知し、中央局は、複数の受信局から各々通知された飛翔体が送出した各受信信号に基づいて、飛翔体の位置測位を実行する飛翔体位置測定システムであり、受信局は、複数信号をそれぞれ受信信号として受信する受信部と、それぞれの受信信号に含まれている搬送波と基準波の位相差を参照して、一定の相関を有する受信信号群を検出する受信信号位相差検出部と、所定範囲内の位相差を有した受信信号群を同一飛翔体から送出された受信信号群として関連付ける受信信号関連付部と、関連付けられた受信信号群を中央局に通知する送信部とを設ける。
2015133415.tif 000002
【特許請求の範囲】
【請求項１】
複数の受信局と中央局を含み、
前記複数の受信局は、飛翔体から送出された複数信号をそれぞれ受信信号として受信して、前記中央局にそれぞれの受信信号を各々通知し、
前記中央局は、前記複数の受信局から各々通知された前記飛翔体が送出した各受信信号に基づいて、前記飛翔体の位置測位を実行する
飛翔体位置測定システムであり、
前記受信局は、
前記複数信号をそれぞれ受信信号として受信する受信部と、
それぞれの前記受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部と、
関連付けられた前記受信信号群を前記中央局に通知する送信部と
を有する
ことを特徴とする飛翔体位置測定システム。
【請求項２】
前記受信局は、関連付けられた前記受信信号群にまとめて受信時刻を付与して前記中央局に通知する
ことを特徴とする請求項１記載の飛翔体位置測定システム。
【請求項３】
前記受信局は、
前記受信信号群を関連付ける際に、
同一種類の複数の受信信号は一つの受信信号を除いて削除すると共に、異なる種類の受信信号は一つの受信信号群として関連付けて、前記中央局に通知する
ことを特徴とする請求項１又は２に記載の飛翔体位置測定システム。
【請求項４】
前記飛翔体から送出された前記複数信号として、前記搬送波を用いて形成されたパルス波を並べたパルス列を受け付ける場合、
前記受信局は、
前記受信信号群を関連付ける際に、
一つの受信信号を形成しているパルス毎に搬送波と基準波の位相を参照し、一定の相関を有するパルス群をまとめて１つの受信信号として扱う
ことを特徴とする請求項１ないし３の何れか一項に記載の飛翔体位置測定システム。
【請求項５】
前記受信局は、
前記受信信号群を関連付ける際に、
測位対象となる飛翔体で用いられている搬送波周波数と同じ周波数を有する基準信号を前記基準波として使用して、それぞれの前記受信信号の前記基準波に対する位相差を識別し、それぞれの前記受信信号の位相差相互を対比して相関を判別する
ことを特徴とする請求項１ないし４の何れか一項に記載の飛翔体位置測定システム。
【請求項６】
前記受信局は、
それぞれの前記受信信号の相関を検出する際に、各々の前記受信信号を制限増幅した後に、前記基準波を用いて一定の相関を有した搬送波を有するか判別する
ことを特徴とする請求項１ないし５の何れか一項に記載の飛翔体位置測定システム。
【請求項７】
前記受信局は、
搬送波周期に一定の相関を有した前記受信信号相互を関連付ける際に、相関の有無を前記基準波に対する位相差両の閾値を基準に判別する
ことを特徴とする請求項１ないし６の何れか一項に記載の飛翔体位置測定システム。
【請求項８】
複数の受信局と中央局を含み、
前記複数の受信局は、航空機から送出されたＳＳＲモードＡ応答信号及びＳＳＲモードＣ応答信号を含む複数種類の応答信号をそれぞれ受信信号として受信して、ターゲット情報を生成して前記中央局に各々通知し、
前記中央局は、前記複数の受信局から各々通知された複数の前記ターゲット情報を用いて前記航空機の位置測位を実行する
飛翔体位置測定システムであり、
前記受信局は、
複数種類の前記応答信号を受信する受信部と、
それぞれの前記応答信号を成しているパルスに含まれている搬送波と基準波の位相差を参照して、所定範囲内の位相差を有したパルス群を同一飛翔体から送出された一つの応答信号として見做すと共に、所定範囲内の位相差を有した異なる種類の前記応答信号を一つの応答信号群に関連付ける信号処理部と、
関連付けられた前記応答信号群を前記中央局に通知する送信部と、
を有することを特徴とする飛翔体位置測定システム。
【請求項９】
飛翔体から送出された複数信号をそれぞれ受信信号として受信する受信部と、
それぞれの前記受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部と、
関連付けられた前記受信信号群を中央局に通知する送信部と
を有する
ことを特徴とする飛翔体位置測定システムの受信局。
【請求項１０】
前記受信局は、関連付けられた前記受信信号群にまとめて受信時刻を付与して前記中央局に通知する
ことを特徴とする請求項９記載の受信局。
【請求項１１】
複数の受信局と中央局を含む飛翔体位置測定システムで実行され、
前記複数の受信局は、飛翔体から送出された複数信号をそれぞれ受信信号として受信して、前記中央局にそれぞれの受信信号を各々通知し、
前記中央局は、前記複数の受信局から各々通知された前記飛翔体が送出した各受信信号に基づいて、前記飛翔体の位置測位を実行し、
前記受信局は、前記複数の受信信号を受信した際に、
それぞれの前記受信信号に含まれている搬送波と基準波の位相差を参照して、一定の相関を有する受信信号群を検出し、
所定範囲内の位相差を有した受信信号群を同一飛翔体から送出された受信信号群として関連付け、
関連付けられた前記受信信号群を前記中央局に通知する
ことを特徴とする飛翔体位置測位方法。
【請求項１２】
飛翔体位置測定システムを構成する受信局を、
それぞれの受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部、
として動作させることを特徴とするプログラムを記録した記録媒体。
【発明の詳細な説明】
【技術分野】
【０００１】
本発明は、複数の受信局で位置特定の対象である飛翔体から送出された信号波を受けて、当該飛翔体の位置測位を行う飛翔体位置測定システム、該システムに用いられる受信局の信号処理方法、及び制御方法に関する。
【背景技術】
【０００２】
飛翔体位置測定システムは、例えば航空機の位置測位に利用できる。飛翔体位置測定システムは、複数の受信局である飛翔体から送出された信号波を受けた際に各々の受信局が正確な受信時刻を関連付けることで、それぞれの受信タイミングを突合せて飛翔体の位置測位が可能になる。
飛翔体位置測定システムに関連する技術は、例えば、特許文献１及び２に記載されている。
特許文献１及び２には、航空機の測位を中央局と複数の受信局で実施する航空機位置測位システムが記載されている。
特許文献１では、航空機の測位を実施する際に、受信信号波にタイムスタンプを付与するために用いられる各々の受信局の基準時刻を高精度に同期させる手法を開示している。
特許文献２では、航空機に複数種類の応答信号を送出させる質問信号を送出する２次監視レーダシステム（ＳＳＲシステム：Ｓｅｃｏｎｄａｒｙ  Ｓｕｒｖｅｉｌｌａｎｃｅ  Ｒａｄａｒ  Ｓｙｓｔｅｍ）を有して、航空機からの複数種類の応答信号の種別を中央局での情報処理で判別可能にした手法を開示している。
【先行技術文献】
【特許文献】
【０００３】
【特許文献１】特開２０１０−２３０４４８号公報
【特許文献２】特開２０１１−１１２４６５号公報
【発明の概要】
【発明が解決しようとする課題】
【０００４】
飛翔体位置測定システムでは、航空機から複数種類の信号波を各受信局が受けて中央局で位置測位に使用する際に、ある飛翔体が送出した複数の信号波を各受信局が同一飛翔体が送出した信号波群として識別することが困難であった。このため、各受信局は、中央局に受信時刻を付与した多量の信号波に関する情報を基本的に全て送出し、中央局が各種情報処理（例えば上記特許文献２で開示した手法）によって、飛翔体の位置を特定している。
しかしながら、このような手法には、幾つか改善点がある。一つは、各受信局と中央局との間でやり取りされる情報の低減が挙げられる。また、中央局での演算処理リソースも上記手法では多量になるため、改善が望まれる。
上記特許文献１や２では、この課題について取り上げていない。
本発明は、上記課題に鑑みて成されたものであり、飛翔体位置測定システムの各受信局である飛翔体が送出した複数の信号波を同一飛翔体が送出した信号波群として識別して、中央局などで生じる処理負担を低減する飛翔体位置測定システムを提供することである。
【課題を解決するための手段】
【０００５】
本発明に係る飛翔体位置測定システムは、複数の受信局と中央局を含み、前記複数の受信局は、飛翔体から送出された複数信号をそれぞれ受信信号として受信して、前記中央局にそれぞれの受信信号を各々通知し、前記中央局は、前記複数の受信局から各々通知された前記飛翔体が送出した各受信信号に基づいて、前記飛翔体の位置測位を実行する飛翔体位置測定システムであり、前記受信局は、前記複数信号をそれぞれ受信信号として受信する受信部と、それぞれの前記受信信号に含まれている搬送波と基準波の位相差を参照して、一定の相関を有する受信信号群を検出する受信信号位相差検出部と、所定範囲内の位相差を有した受信信号群を同一飛翔体から送出された受信信号群として関連付ける受信信号関連付部と、関連付けられた前記受信信号群を前記中央局に通知する送信部とを有することを特徴とする。
本発明に係る飛翔体位置測定システムの受信局は、飛翔体から送出された複数信号をそれぞれ受信信号として受信する受信部と、それぞれの前記受信信号に含まれている搬送波と基準波の位相差を参照して、一定の相関を有する受信信号群を検出する受信信号位相差検出部と、所定範囲内の位相差を有した受信信号群を同一飛翔体から送出された受信信号群として関連付ける受信信号関連付部と、関連付けられた前記受信信号群を前記中央局に通知する送信部とを有することを特徴とする。
本発明に係る飛翔体位置測位方法は、複数の受信局と中央局を含む飛翔体位置測定システムで実行され、前記複数の受信局は、飛翔体から送出された複数信号をそれぞれ受信信号として受信して、前記中央局にそれぞれの受信信号を各々通知し、前記中央局は、前記複数の受信局から各々通知された前記飛翔体が送出した各受信信号に基づいて、前記飛翔体の位置測位を実行し、前記受信局は、前記複数の受信信号を受信した際に、それぞれの前記受信信号に含まれている搬送波と基準波の位相差を参照して、一定の相関を有する受信信号群を検出し、所定範囲内の位相差を有した受信信号群を同一飛翔体から送出された受信信号群として関連付け、関連付けられた前記受信信号群を前記中央局に通知することを特徴とする。
本発明に係る記録媒体に記録されたプログラムは、飛翔体位置測定システムを構成する受信局を、それぞれの受信信号に含まれている搬送波と基準波の位相差を参照して、一定の相関を有する受信信号群を検出する受信信号位相差検出部と、所定範囲内の位相差を有した受信信号群を同一飛翔体から送出された受信信号群として関連付ける受信信号関連付部、として動作させることを特徴とする。
【発明の効果】
【０００６】
本発明によれば、飛翔体位置測定システムの各受信局である飛翔体が送出した複数の信号波を同一飛翔体が送出した信号波群として識別して、中央局などで生じる処理負担を低減できる飛翔体位置測定システムを提供できる。
【図面の簡単な説明】
【０００７】
図１は、実施形態にかかる飛翔体位置測定システムを示したシステム構成図である。
図２は、実施形態にかかる受信局の構成例を示すブロック図である。
図３は、実施例にかかる受信局の構成を示したブロック図である。
図４は、既存のＳＳＲ応答信号の信号構造を示した説明図である。
図５は、既存のＳＳＲ応答信号の信号形成ルールを示した説明図である。
図６は、受信信号搬送波位相識別部（位相差検出部）内で処理される各種信号を示した説明図である。
図７は、受信信号相関検出部（リプライ位相差相関部）内で処理される各種リプライ（パルス列）群の関係を示した説明図である。
図８は、本発明に係る受信局での処理例を示したフローチャートである。
【発明を実施するための形態】
【０００８】
本発明を図１ないし図８を用いて説明する。
以下の実施形態では、飛翔体たる航空機の幾何学的位置を中央局でマルチラテレーション処理（双曲線測位）を実施することで測位する構成を説明する。なお、中央局での飛翔体の位置測位手法は、マルチラテレーション処理（双曲線測位）のみに限定するものではない。
中央局では、各受信局間の受信時刻差（ＴＤＯＡ：Ｔｉｍｅ  Ｄｉｆｆｅｒｅｎｃｅ  ｏｆ  Ａｒｒｉｖａｌ）を用いて航空機の幾何学的位置を測位する。このマルチラテレーション処理のために、各受信機は、航空機から受信した複数の信号波とその信号波の受信時刻を関連付けて中央局に通知する。また、航空機は、信号波として複数種類の信号波を用いる。各信号波を送出する際に航空機（無線機）が用いる搬送波周波数は、同一周波数を用いる。
また、既存の航空機位置測位システムと同様に、本システムの覆域内に存在する航空機は、各信号波として、モードＡ応答信号、モードＣ応答信号、モードＳ応答、スキッタ信号を送出する例を説明する。
モードＡ及びモードＣ応答信号は、航空機が既設ＳＳＲ装置からの質問に対する応答信号である。既設の既設ＳＳＲシステムでは、航空機は、モードＡ及びモードＣの各質問信号に同期したモードＡ及びモードＣ応答信号を応答する。
図１は、実施形態にかかる飛翔体位置測定システムを示したシステム構成図である。
本システムは、航空機Ａの位置を中央局２０で測位する。本システムには、複数の受信局１０（１０−１〜１０−４）と中央局２０に加え、ＳＳＲシステムとして送受信局３０を含む。
各受信局１０は、航空機Ａから送出されたモードＡやモードＣなどの複数の応答信号を傍受して、受信したモードＡやモードＣなどの応答信号群に受信時刻を示すタイムスタンプを付与して、中央局２０に通知する。
この際、各受信局１０は、それぞれの受信信号に含まれている搬送波と基準波の位相差を参照して、一定の相関を有する受信信号群（この場合は航空機Ａから送出された複数種類の応答信号群）を検出する。その後、各受信局１０は、所定範囲内の位相差を有した受信信号群を同一飛翔体から送出された受信信号群として関連付け、受信時刻を付与して中央局２０に、各種情報が識別可能な方法で通知する。例えば、受信局１０は、モードＡ応答信号及びモードＣ応答信号を関連付けた場合に、モードＡ／Ｃ応答信号として中央局２０に通知すればよい。
同様な手法で、各受信局１０は逐次、上記航空機Ａから送出される各種信号について、個々の受信信号に含まれている搬送波の位相を用いて、搬送波に一定の相関を有した受信信号相互を関連付けて、同一の航空機から送出された応答信号群として見做して、受信時刻を付与して中央局２０に通知する。
この搬送波に一定の相関を有した受信信号を関連付ける際に、例えば、ほぼ同一タイミングで送出されている同一種類の一定の相関を有した受信信号は一つの受信信号を除いて削除してもよい。なお、この纏め処理は必ずとも１つ以外を削除せずとも、数を減らせば有益に働く。
換言すれば、一定の相関を有した同一の飛翔体から送出された応答信号群として見做せた受信信号を受信局１０で集約（一本化）する。一方で、一定の相関を有した同一の飛翔体から送出された応答信号群として見做せた異なる種類の受信信号相互は、一つの受信信号群として関連付けて、前記中央局に通知すればよい。
中央局２０では、各受信局１０から通知された飛翔体Ａが送出した各受信信号の各受信局１０への到達時刻に関する情報を取り纏めて、飛翔体Ａの位置測位を実行する。また、中央局２０は、飛翔体Ａが送出した各応答信号からそれぞれ含まれている情報（例えば、識別コードや高度情報）を取得する。
中央局２０には、各受信局１０で搬送波に一定の相関を有した複数の受信信号が関連付けられた情報（集約通知情報）が通知される。このため、個々の受信局１０で受信信号が関連付けられずに通知されるシステムに対して、同一内容の受信信号に関する情報処理が削減できる。結果、所望する結果を得るために必要となる処理リソースを低減できる。
このようにシステム構成を採りシステムを動作させることによって、航空機位置測位システムであれば、各受信局である航空機が送出した１ないし複数種類の信号波を関連付けて、ターゲット情報として通知でき、各受信局からターゲット情報を受け付けて中央局で航空機の位置を測位することができる。
次に、受信局１０の構成例及び処理例を説明する。なお、本発明に関係が薄い各種既存構成要素は、記載を省略若しくは簡略化する。
図２は、受信局１０の構成例を示すブロック図である。
受信局１０は、受信部１１、信号処理部１２、送信部１３を含み構成されている。
受信部１１は、アンテナ（図示せず）を介して航空機から送出された複数の信号波を受けて、その複数の信号波を各々受信信号として出力する。また、受信部１１は、各々受信信号の搬送波の位相を識別可能にする搬送波信号を信号処理部１２に出力する。
信号処理部１２は、各々の搬送波信号を参照して、受信信号各々に含まれている搬送波周期相互の位相差異に基づき、同一航空機から送出された信号波と見做せる（すなわち、搬送波に一定の相関を有していれば）受信信号を関連付ける。また、信号処理部１２は、受信信号に受信時刻（自局への到達時刻に関する情報）を付与して、送信部１３に出力する。
送信部１３は、各受信信号を集約通知情報として、中央局２０に通知する。なお、中央局２０は必要に応じて個々の受信信号を個別に通知するようにしてもよい。
本実施形態の信号処理部１２は、図示するように、受信信号搬送波位相識別部１４、受信信号相関検出部１５、受信信号関連付部１６、時刻情報付与部１７で構成できる。受信信号搬送波位相識別部１４と受信信号相関検出部１５は、受信信号位相差検出部として動作する。なお、本構成に限定するものではなく、適宜システム要求に合わせて信号処理部１２を構築すればよい。
受信信号搬送波位相識別部１４は、各々の搬送波信号を参照して受信信号各々に含まれていた搬送波の位相を識別して、各々の受信信号が有していた搬送波周期の相状態を受信信号相関検出部１５に出力する。搬送波の位相量は、受信局１０で生成する基準波を用いて数値化してもよいし、ある受信信号の搬送波を基準波として他の受信信号の搬送波の位相を数値化してもよい。
受信信号相関検出部１５は、各々の受信信号の搬送波周期の相状態相互の位相差量に従って、搬送波周期に一定の相関を有した受信信号群を検出し、相関が有った受信信号群を示した受信情報相関情報を受信信号関連付部１６に通知する。
受信信号関連付部１６は、受信情報相関情報で通知を受けた受信信号群を関連付ける。
時刻情報付与部１７は、受信時刻を付与する。時刻情報は、無論高精度であることが望ましい。また、各受信局１０間で高精度に同期されていることが望ましい。受信信号群を纏めた信号に対して付与する時刻は、例えば纏める受信信号群の中で最初に受信した受信信号の受信時刻や最後に受信した受信信号の受信時刻のように、予め設けた規定ルールに則して付与すればよい。
この構成によって、個々の受信局１０は、各受信信号の搬送波に一定の相関を有した受信信号群を関連付けて、中央局２０に各々の受信信号の受信時刻を通知することができる。
この結果、飛翔体位置測定システムの各受信局から中央局に通知していた情報量を削減でき、中央局などで生じる処理負担を低減できる。
【実施例】
【０００９】
次に、実施例を示して本発明を説明する。本実施例では、既存の航空機位置測定システムで用いられている信号を用いて説明する。
本実施例の航空機位置測定システムでは、ＳＳＲシステムから質問信号で要求に応じて航空機から送出されたＳＳＲモードＡ応答信号、ＳＳＲモードＣ応答信号及びモードＳ応答信号又はＳＳＲ拡張スキッタ信号を４局以上の受信局で夫々受信処理（相関判定，時刻付与）した後に、各受信局から通知しあれた受信信号群を中央局でマルチラテレーション処理して航空機の位置測定を行う。
航空機は、ＡＴＣＲＢＳトランスポンダを搭載しており、パルス波を並べた応答信号（パルス列）を１０９０ＭＨｚの搬送波を用いて送出する。
各受信局１０は、ＳＳＲモードＡ応答信号やＳＳＲモードＣ応答信号の各パルスを構成している搬送波（１０９０ＭＨｚ信号）と自局の基準周波数発振器で生成された基準波（１０９０ＭＨｚ信号）との位相差をまず求め、その後各応答信号間の位相差を比較する。この２段階の比較で、各受信局１０は、位相差量が閾値範囲内で一致している応答信号相互を、搬送波に一定の相関を有した受信信号群として関連付ける。
この結果、多くの応答信号が多数の航空機から送出される覆域環境であっても、同一航空機から送出された応答信号が纏められる。また異なる航空機からの応答信号はそれぞれ別個に纏められる。
例えば、複数の航空機が飛び交う覆域内で、ある航空機Ａから非同期で送出されたＳＳＲモードＡ応答信号とＳＳＲモードＣ応答信号とが、ＳＳＲモードＡ／Ｃ応答信号として時刻情報を付与して中央局２０に通知できる。
この結果、中央局２０側で航空機Ａの位置等を表示するために実施するマルチラテレーション処理に要するリソース量などを削減できる。
［構成］
図３は、実施例にかかる受信局１００の構成を示したブロック図である。
図に示すように受信局１００は、受信部１１０、信号処理部１２０、送信部１３０、時刻情報生成部１４０を含み構成されている。
受信部１１０は、覆域内に存在する航空機の高周波ＳＳＲ応答信号を受信波としてアンテナから逐次受け付けて、各受信信号として出力する。本実施例では、受信部１１０は、受信波を増幅器１１１、受信処理部１１２、受信ビデオ生成部１１３を介して信号処理することで、受信ビデオを生成する。
この信号処理過程で、受信部１１０は、それぞれの受信信号の搬送波のフェーズを信号処理部１２０で取得可能なように、信号波を分岐して信号処理部１２０に出力する。この分岐では、高周波ＳＳＲ応答信号そのものを分岐してもよいし、信号部分のみを分岐してもよいし、個々のパルス毎に個別に分岐するように構成してもよい。
本実施例の信号処理部１２０は、リミッティング増幅部１２１、位相差検出部１２２、パルス位相差相関部１２３−１、リプライ位相差相関部１２３−２、ブラケットパルス検出部１２４、リプライ処理部１２５、目標相関部１２６、ＡＴＣＲＢＳ応答処理部１２７、モードＳ応答処理部１２８、ターゲット情報生成部１２９を用いて構成される。
ここで、位相差検出部１２２は、受信信号搬送波位相識別部として、動作する。また、パルス位相差相関部１２３−１及びリプライ位相差相関部１２３−２は、受信信号相関検出部として動作する。また、目標相関部１２６及びＡＴＣＲＢＳ応答処理部１２７は、受信信号関連付部及び時刻情報付与部として動作する。
リミッティング増幅部１２１は、受信部１１０から分配された各信号波を受信強度による影響差を無くするように制限増幅して、位相差検出部１２２に各制限増幅信号波を出力する。
位相差検出部１２２は、１０９０ＭＨｚ基準信号を基準に、制限増幅された各信号波に含まれている搬送波の位相を検出する。すなわち、高周波ＳＳＲ応答信号を成しているパルスを構成している搬送波と基準信号との位相差を検出する。なお、この基準信号の１０９０ＭＨｚは、航空機が用いる搬送波周波数である。搬送波周波数が異なる受信信号を処理したい場合、位相差検出部１２２は、その処理したい周波数の基準信号を用いればよい。また、複数種類の搬送波周波数に対応させるために、複数種類の搬送波基準信号を受け付ける構成でもよい。
パルス位相差相関部１２３−１は、ブラケットパルス検出部１２４で検出されたＳＳＲ応答信号のブラケットパルス（後述する図６の２．Ｆ１，Ｆ２参照）に基づき、パルス毎の搬送波の位相差が閾値範囲内で一致しているパルス信号群を同一パルス信号列と見做す判別処理を実施する。パルス位相差相関部１２３−１は、同一航空機から出力されたパルス信号列と見做せるパルス信号群からリプライデータを生成し、生成したリプライデータをリプライ位相差相関部１２３−２に送る。この処理によって、例えばマルチパス波や他航空機の信号などと混ざったパルス波群であっても、同一航空機の直接波（同一経路）のパルス波群のみで構成された応答信号が抽出される。
リプライ位相差相関部１２３−２は、リプライデータ内に格納されている位相差情報と次に入力されたリプライデータ内に格納されている位相差情報（別のパルス波列）との相関検出により、位相差が閾値範囲内で一致しているリプライデータ相互を識別する。リプライ位相差相関部１２３−２は、相関検出を実施した応答信号群について、判定結果をターゲットリプライ相関データとして目標相関部１２６に送る。この判定結果によって、異なるタイミングで受信した応答信号群でも同一航空機から送出されていたと判定できればグループ化できる。
目標相関部１２６は、リプライ処理部１２５で生成された各応答信号（ターゲットリプライデータ）に時刻情報を関連付けると共に、リプライ位相差相関部１２３−２で生成されたターゲットリプライ相関データに従って、各応答信号を同一航空機のターゲット情報として関連付けて、ＡＴＣＲＢＳ応答処理部１２７に出力する。
また、目標相関部１２６は、ターゲットリプライ相関データに従って、所定期間内で、同一航空機から同一の種別のターゲット情報であると判別できたターゲット情報を破棄する。この所定期間は任意に定めればよい。例えば、ある航空機の出力した応答信号群を纏める際に、モードＡ応答信号やモードＣ応答信号が連続して送られてくる期間を踏まえた設定値であれば、百数十ｍ秒を設定値にすることができる。この所定期間によれば、後述する図７の一つのリプライ列に含まれる同一種類の応答信号を纏められる。設定値は、システム要求に合わせて適宜決定すればよい。この処理によって、中央局の処理負荷の軽減が図れる。
ＡＴＣＲＢＳ応答処理部１２７は、相関が取れたターゲット情報群を同一航空機から送出された信号群として束ねるために、予め設定されたパラメータ値のリプライデータ数に達した時点で、最終的なモードＡ／Ｃターゲット情報としてターゲット情報生成部１２９に出力する。
モードＳ応答処理部１２８は、時刻情報を付与して、受信ビデオ信号を受けて、モードＳターゲット情報及びモードＳスキッタターゲット情報をターゲット情報生成部１２９に出力する。
ターゲット情報生成部１２９は、モードＳ応答処理部１２８から受け付けたモードＳターゲット情報及びモードＳスキッタターゲット情報と、ＡＴＣＲＢＳ応答処理部１２７から受け付けたＳＳＲモードＡ／Ｃターゲット情報とを混合した所定形式のターゲット情報（集約通知情報）を生成して通知部１３０に出力する。なお、目標相関部１２６やモードＳ応答処理部１２８で付与された時刻情報は、必ずしも受信信号群全ての時刻情報を残しておく必要はない。例えば、信号処理部１２０は、出力するターゲット情報に含まれる各々の種類ごとに、最初に受信した同一種類の受信信号の受信時刻を採用すればよい。また、信号処理部１２０は、最後に受信した同一種類の受信信号の受信時刻を採用してもよい。また、異なる種類の受信信号を纏めた信号についても、最初に受信した受信信号の受信時刻や、特定種類の最初に受信した受信信号の受信時刻のように、信号処理部１２０は、予め設けた規定ルールに則して付与する受信時刻を決定すればよい。具体的には、モードＡ／Ｃ応答信号に纏めたリプライ群であれば、最初に受信した高度情報を示すモードＣ応答信号の受信時刻をモードＡ／Ｃ応答の受信時刻として採用する一例が挙げられる。
通知部１３０は、中央局２００に、受信時刻を付与した同一の航空機から出力された信号波群をターゲット情報（集約通知情報）として出力する。
時刻情報生成部１４０は、本構成でＧＰＳ（Ｇｌｏｂａｌ  Ｐｏｓｉｔｉｏｎｉｎｇ  Ｓｙｓｔｅｍ）受信機１４１及び時刻同期信号生成部１４２を有する。なお、時刻情報生成部１４０は、ＧＰＳ信号から時刻情報を取得する以外の手法で、例えば、高精度時計などで時刻情報を生成してもよい。また受信局間や中央局間の同期手法もＧＰＳ利用方式に限定されることなく、適宜同期手法を採用すればよい。
この受信局１００を含む航空機位置測定システムは、以下のように動作する。システム構成は、図１に示した関係と同様であり、複数の受信局１００−１〜１００−４及び中央局２００から成る。
受信局１００−１〜１００−４及び中央局２００は、ＧＰＳ衛星から放送されているＧＰＳ信号を用いて局間同期及び時刻情報の生成を行っている。
各受信局１００−１〜１００−４は各々、受信部１１０で、システムの覆域内に存在するターゲット航空機及び他の航空機からモードＡ応答、モードＣ応答、モードＳ応答／拡張スキッタ信号を逐次受信する。
各受信局１００−１〜１００−４は各々、信号処理部１２０で、受信した各種信号を信号解読して、受信信号群を識別した搬送波に一定の相関を有した受信信号をまとめると共に時刻のタイムスタンプを付与して、送信部１３０から中央局２００に航空機毎のターゲット情報を通知する。
中央局２００は、受け付けた各々のターゲット情報に付与された到着時刻のタイムスタンプから、個々の航空機が送出した信号波の各受信局１００−１〜１００−４への到着時刻差に基づいて、航空機毎の位置測位を実施する。この位置測位では、４局以上で高度を含めた航空機の位置座標を特定できる。
モードＡ／Ｃ質問信号／応答信号を用いる既存の航空機位置測定システムでは、航空機のモードＡ／Ｃ応答信号が非同期で運用されており、また、各受信局では、監視覆域内に存在する１ないし複数の航空機のモードＡ／Ｃ応答信号を全て傍受している。
このため、各受信局で、受信した応答信号を、ある１台の航空機からの応答信号として１つに束ねる事が既存の航空機位置測定システムではできなかった。
上記実施例によれば、この非同期のモードＡ及びモードＣ応答信号を各々の受信局で種別を踏まえて１つに束ねられる。このため、既存の受信局で行っているように傍受した全ての応答信号を中央局に通知する必要性がなくなる。結果、中央局２００と各受信局１００間のターゲット情報の通信回線容量を削減できる。また、膨大なターゲット情報を中央局２００が処理する必要性が無いため、処理リソースの削減が図れる。なお、通信回線容量の削減は、受信局−中央局間の距離を延長が容易になり、結果的にシステムの覆域拡大に大きく寄与する。また、中央局２００での１航空機あたりに要する処理リソースを低減することで、同時的に扱える航空機台数を増加できる。
このように、受信した多数の受信信号の搬送波の相関を調査して纏める仕組みを受信局１００に導入することで、システムの探知能力を向上することが可能になる。
ここで、航空機のトランスポンダで用いられている既存信号を用いて、本発明の特徴を説明する。
図４及び図５は、既存のＳＳＲ応答信号を示した説明図である。
図４に示すように、航空機（トランスポンダ）から送出される信号波は、１０９０ＭＨｚ搬送波を用いて、パルス状に電波をオン／オフすることで、応答信号のパルス列を形成する。
ＳＳＲモードＡ信号とＳＳＲモードＣ信号、及びＳＳＲモードＡ／Ｃ信号の関係は図５に示す通りである。
図６は、受信信号搬送波位相識別部（位相差検出部）内で処理される各種信号を示した説明図である。
図６に示すように、受信局で生成された基準信号（１０９０ＭＨｚの基準波）と、受信ＳＳＲ応答信号の各パルスを形成している信号波（航空機トランスポンダの搬送波：１０９０ＭＨｚ）とは、同一周期であるものの位相が変動する関係にある。図中のＴＡ及びＴＢは各パルス信号の基準信号に対する遅れ／進み時間である。この時間が搬送波と基準波の位相差（図中θＡ，θＢ）にあたる。
受信信号位相差検出部は、この位相差を対比して同一位相差と見做せるパルスは同一飛翔体から送出されたパルスと扱う。他方、他の飛翔体や異なる時間（位置）から送出された応答信号に含まれたパルス列のパルスを形成している信号波（搬送波）は別の位相差の値になるため、非相関となる。受信信号位相差検出部は、非相関のパルスは、異なる受信信号（パルス信号列の一部）として取り扱う。
この相関関係の検出によって、異なる位相差を有するパルス（マルチパスノイズや、他の飛翔体から送出されたパルス）を受信信号を形成するパルス列に含まれないパルスとして扱うことで、同一飛翔体から送出されたパルスのみで、パルス列（受信信号）を識別可能になる。
結果、耐ノイズ性を有して、図６の２．受信ＳＳＲ応答信号（Ｆ１からＦ２のパルス列）を１つのまとまりと判別して１つのリプライとして識別できる。
また、同一飛翔体からほぼ同一時間（位置）に送出された同一種別や異なる種別のリプライを識別でき、纏めることができる。
図７は、受信信号位相差検出部（受信信号相関検出部１５，リプライ位相差相関部１２３−２）内で処理される各種リプライ（パルス列）群の関係を示した説明図である。なお、図中の個々の箱が１つのリプライを指している。
受信信号位相差検出部では、リプライ相互の判定を実施するため、同一飛翔体から送出されたリプライと別の飛翔体から送出されたリプライとが区別できる。この区別した結果を用いれば、各々の飛翔体毎に１つのリプライ列としてまとめ上げることが可能になる。
既存の航空信号であれば、図７の１．ＳＳＲ応答信号群（リプライ列）に示すように、同一航空機からのモードＡおよびモードＣ応答信号は、一般に数ｍｓｅｃ間隔で６〜１５応答がＳＳＲの質問信号に対して送出される。
このように受信局は、リプライ毎に基準信号を用いた位相差判定を行うことにより、ほぼ同位相となるリプライ相互を種別を踏まえて纏めることができる。
結果、図中に示している２台の飛翔体のリプライ列のように、複数の飛翔体から、異なる時刻にそれぞれ送出された応答信号群（リプライ列）を受信したとしても、受信局は応答信号相互を区分することが可能になる。これは、応答信号相互が相互に異なる位相を有しているためである。
以上、実施形態及び実施例で説明したように、監視空域に存在する航空機毎に例え非同期に送出される複数信号であっても各受信局で搬送波を参照することで受信局は相関を有する受信信号群に関連付けて中央局に通知することができる。
すなわち、本発明によれば、飛翔体位置測定システムの各受信局である飛翔体が送出した複数の信号波を同一飛翔体が送出した信号波群として識別して、中央局などで生じる処理負担を低減できる飛翔体位置測定システムを提供できる。
なお、飛翔体位置測定システムの受信局の信号処理部は、ハードウェアとソフトウェアの組み合わせを用いて実現しても良い。ハードウェアとソフトウェアとを組み合わせた形態では、ＲＡＭ（Ｒａｎｄｏｍ  Ａｃｃｅｓｓ  Ｍｅｍｏｒｙ）に受信局用プログラムが展開され、プログラムに基づいて制御部（ＣＰＵ：ｃｅｎｔｒａｌ  ｐｒｏｃｅｓｓｉｎｇ  ｕｎｉｔ）等のハードウェアを動作させることによって、各部を実現すればよい。また、当該プログラムは、記録媒体に非一時的に記録されて頒布されても良い。当該記録媒体に記録されたプログラムは、有線、無線、又は記録媒体そのものを介して、メモリに読込まれ、制御部等を動作させる。尚、記録媒体を例示すれば、オプティカルディスクや磁気ディスク、半導体メモリ装置、ハードディスクなどが挙げられる。
上記実施の形態を別の表現で説明すれば、このプログラムは、受信局に含まれるプロセッサを、受信信号各々に含まれている搬送波の位相を参照し、搬送波に一定の相関を有した受信信号をまとめて、受信時刻を付与するように動作させる。
また、受信局に含まれるプロセッサは、このプログラムに基づいて、上記信号処理手段、送信手段を動作させる。処理フローチャート例を示せば図８のようになる。図８に示した、処理フローでは、受信局のプロセッサは、信号処理部として、各受信信号の搬送波位相を識別（Ｓ１０１）し、受信信号間の相関を検出（Ｓ１０２）し、相関した受信信号を関連付け（Ｓ１０３）、適宜時刻情報を付与（Ｓ１０４）する。
なお、実施形態及び実施例を図示して説明したが、そのブロック構成の分離併合、手順の入れ替えなどの変更は本発明の趣旨および説明される機能を満たせば自由であり、上記説明が本発明を限定するものではない。
また、上記の実施形態の一部又は全部は、以下のようにも記載されうる。尚、以下の付記は本発明をなんら限定するものではない。
［付記１］
複数の受信局と中央局を含み、
前記複数の受信局は、飛翔体から送出された複数信号をそれぞれ受信信号として受信して、前記中央局にそれぞれの受信信号を各々通知し、
前記中央局は、前記複数の受信局から各々通知された前記飛翔体が送出した各受信信号に基づいて、前記飛翔体の位置測位を実行する
飛翔体位置測定システムであり、
前記受信局は、
前記複数信号をそれぞれ受信信号として受信する受信部と、
それぞれの前記受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部と、
関連付けられた前記受信信号群を前記中央局に通知する送信部と
を有する
ことを特徴とする飛翔体位置測定システム。
［付記２］
前記受信局は、関連付けられた前記受信信号群にまとめて受信時刻を付与して前記中央局に通知する
ことを特徴とする上記付記記載の飛翔体位置測定システム。
［付記３］
前記受信局は、
前記受信信号群を関連付ける際に、
同一種類の複数の受信信号は一つの受信信号を除いて削除すると共に、異なる種類の受信信号は一つの受信信号群として関連付けて、前記中央局に通知する
ことを特徴とする上記付記記載の飛翔体位置測定システム。
［付記４］
前記飛翔体から送出された前記複数信号として、前記搬送波を用いて形成されたパルス波を並べたパルス列を受け付ける場合、
前記受信局は、
前記受信信号群を関連付ける際に、
一つの受信信号を形成しているパルス毎に搬送波と基準波の位相を参照し、一定の相関を有するパルス群をまとめて１つの受信信号として扱う
ことを特徴とする上記付記記載の飛翔体位置測定システム。
［付記５］
前記受信局は、
前記受信信号群を関連付ける際に、
測位対象となる飛翔体で用いられている搬送波周波数と同じ周波数を有する基準信号を前記基準波として使用して、それぞれの前記受信信号の前記基準波に対する位相差を識別し、それぞれの前記受信信号の位相差相互を対比して相関を判別する
ことを特徴とする上記付記記載の飛翔体位置測定システム。
［付記６］
前記受信局は、
それぞれの前記受信信号の相関を検出する際に、各々の前記受信信号を制限増幅した後に、前記基準波を用いて一定の相関を有した搬送波を有するか判別する
ことを特徴とする上記付記記載の飛翔体位置測定システム。
［付記７］
前記受信局は、
搬送波周期に一定の相関を有した前記受信信号相互を関連付ける際に、相関の有無を前記基準波に対する位相差両の閾値を基準に判別する
ことを特徴とする上記付記記載の飛翔体位置測定システム。
［付記８］
複数の受信局と中央局を含み、
前記複数の受信局は、航空機から送出されたＳＳＲモードＡ応答信号及びＳＳＲモードＣ応答信号を含む複数種類の応答信号をそれぞれ受信信号として受信して、ターゲット情報として前記中央局に通知し、
前記中央局は、前記複数の受信局から各々通知された複数の前記ターゲット情報を用いて前記航空機の位置測位を実行する
飛翔体位置測定システムであり、
前記受信局は、
複数種類の前記応答信号を受信する受信部と、
それぞれの前記応答信号を成しているパルスに含まれている搬送波と基準波の位相差を参照して、所定範囲内の位相差を有したパルス群を同一飛翔体から送出された一つの応答信号として見做すと共に、
所定範囲内の位相差を有した異なる種類の前記応答信号を一つの応答信号群に関連付ける信号処理部と、
関連付けられた前記応答信号群を前記中央局に通知する送信部と、
を有することを特徴とする飛翔体位置測定システム。
［付記９］
飛翔体から送出された複数信号をそれぞれ受信信号として受信する受信部と、
それぞれの前記受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部と、
関連付けられた前記受信信号群を中央局に通知する送信部と
を有する
ことを特徴とする飛翔体位置測定システムの受信局。
［付記１０］
前記受信局は、関連付けられた前記受信信号群にまとめて受信時刻を付与して前記中央局に通知する
ことを特徴とする上記付記記載の受信局。
［付記１１］
前記受信局は、
前記受信信号群を関連付ける際に、
同一種類の複数の受信信号は一つの受信信号を除いて削除すると共に、異なる種類の受信信号は一つの受信信号群として関連付けて、前記中央局に通知する
ことを特徴とする上記付記記載の受信局。
［付記１２］
前記飛翔体から送出された前記複数信号として、前記搬送波を用いて形成されたパルス波を並べたパルス列を受け付ける場合、
前記受信局は、
前記受信信号群を関連付ける際に、
一つの受信信号を形成しているパルス毎に搬送波と基準波の位相を参照し、一定の相関を有するパルス群をまとめて１つの受信信号として扱う
ことを特徴とする上記付記記載の受信局。
［付記１３］
前記受信局は、
前記受信信号群を関連付ける際に、
測位対象となる飛翔体で用いられている搬送波周波数と同じ周波数を有する基準信号を前記基準波として使用して、それぞれの前記受信信号の前記基準波に対する位相差を識別し、それぞれの前記受信信号の位相差相互を対比して相関を判別する
ことを特徴とする上記付記記載の受信局。
［付記１４］
前記受信局は、
それぞれの前記受信信号の相関を検出する際に、各々の前記受信信号を制限増幅した後に、前記基準波を用いて一定の相関を有した搬送波を有するか判別する
ことを特徴とする上記付記記載の受信局。
［付記１５］
前記受信局は、
搬送波周期に一定の相関を有した前記受信信号相互を関連付ける際に、相関の有無を前記基準波に対する位相差両の閾値を基準に判別する
ことを特徴とする上記付記記載の受信局。
［付記１６］
前記受信局は、航空機から送出されたＳＳＲモードＡ応答信号及びＳＳＲモードＣ応答信号を含む複数種類の応答信号をそれぞれ受信信号として受信して、前記関連付けられた前記受信信号群をターゲット情報として前記中央局に通知し、
そこで、
前記受信信号位相差検出部は、それぞれの前記応答信号を成しているパルスに含まれている搬送波と基準波の位相差を参照して、所定範囲内の位相差を有したパルス群を同一飛翔体から送出された一つの応答信号として見做し、
前記受信信号関連付部は、所定範囲内の位相差を有した異なる種類の前記応答信号を一つの応答信号群に関連付ける、
ことを特徴とする上記付記記載の受信局。
［付記１７］
複数の受信局と中央局を含む飛翔体位置測定システムで実行され、
前記複数の受信局は、飛翔体から送出された複数信号をそれぞれ受信信号として受信して、前記中央局にそれぞれの受信信号を各々通知し、
前記中央局は、前記複数の受信局から各々通知された前記飛翔体が送出した各受信信号に基づいて、前記飛翔体の位置測位を実行し、
前記受信局は、前記複数の受信信号を受信した際に、
それぞれの前記受信信号に含まれている搬送波と基準波の位相差を参照して、一定の相関を有する受信信号群を検出し、
所定範囲内の位相差を有した受信信号群を同一飛翔体から送出された受信信号群として関連付け、
関連付けられた前記受信信号群を前記中央局に通知する
ことを特徴とする飛翔体位置測位方法。
［付記１８］
前記受信局は、関連付けられた前記受信信号群にまとめて受信時刻を付与して前記中央局に通知する
ことを特徴とする上記付記記載の飛翔体位置測位方法。
［付記１９］
前記受信局は、
前記受信信号群を関連付ける際に、
同一種類の複数の受信信号は一つの受信信号を除いて削除すると共に、異なる種類の受信信号は一つの受信信号群として関連付けて、前記中央局に通知する
ことを特徴とする上記付記記載の飛翔体位置測位方法。
［付記２０］
前記飛翔体から送出された前記複数信号として、前記搬送波を用いて形成されたパルス波を並べたパルス列を受け付ける場合、
前記受信局は、
前記受信信号群を関連付ける際に、
一つの受信信号を形成しているパルス毎に搬送波と基準波の位相を参照し、一定の相関を有するパルス群をまとめて１つの受信信号として扱う
ことを特徴とする上記付記記載の飛翔体位置測位方法。
［付記２１］
前記受信局は、
前記受信信号群を関連付ける際に、
測位対象となる飛翔体で用いられている搬送波周波数と同じ周波数を有する基準信号を前記基準波として使用して、それぞれの前記受信信号の前記基準波に対する位相差を識別し、それぞれの前記受信信号の位相差相互を対比して相関を判別する
ことを特徴とする上記付記記載の飛翔体位置測位方法。
［付記２２］
前記受信局は、
それぞれの前記受信信号の相関を検出する際に、各々の前記受信信号を制限増幅した後に、前記基準波を用いて一定の相関を有した搬送波を有するか判別する
ことを特徴とする上記付記記載の飛翔体位置測位方法。
［付記２３］
前記受信局は、
搬送波周期に一定の相関を有した前記受信信号相互を関連付ける際に、相関の有無を前記基準波に対する位相差両の閾値を基準に判別する
ことを特徴とする上記付記記載の飛翔体位置測位方法。
［付記２４］
前記受信局は、航空機から送出されたＳＳＲモードＡ応答信号及びＳＳＲモードＣ応答信号を含む複数種類の応答信号をそれぞれ受信信号として受信して、前記関連付けられた前記受信信号群をターゲット情報として前記中央局に通知し、
そこで、
前記受信局は、それぞれの前記応答信号を成しているパルスに含まれている搬送波と基準波の位相差を参照して、所定範囲内の位相差を有したパルス群を同一飛翔体から送出された一つの応答信号として見做すと共に、
所定範囲内の位相差を有した異なる種類の前記応答信号を一つの応答信号群に関連付ける、
ことを特徴とする飛翔体位置測位方法。
［付記２５］
飛翔体位置測定システムを構成する受信局の制御部を、
それぞれの受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部、
として動作させることを特徴とするプログラム。
［付記２６］
前記制御部に、関連付けられた前記受信信号群にまとめて受信時刻を付与して前記中央局に通知させる
ことを特徴とする上記付記記載のプログラム。
［付記２７］
前記制御部に、
前記受信信号群を関連付ける際に、
同一種類の複数の受信信号は一つの受信信号を除いて削除すると共に、異なる種類の受信信号は一つの受信信号群として関連付けて、前記中央局に通知させる
ことを特徴とする上記付記記載のプログラム。
［付記２８］
前記飛翔体から送出された前記複数信号として、前記搬送波を用いて形成されたパルス波を並べたパルス列を受け付ける場合、
前記制御部に、
前記受信信号群を関連付ける際に、
一つの受信信号を形成しているパルス毎に搬送波と基準波の位相を参照し、一定の相関を有するパルス群をまとめて１つの受信信号として扱わせる
ことを特徴とする上記付記記載のプログラム。
［付記２９］
前記制御部に、
前記受信信号群を関連付ける際に、
測位対象となる飛翔体で用いられている搬送波周波数と同じ周波数を有する基準信号を前記基準波として使用して、それぞれの前記受信信号の前記基準波に対する位相差を識別し、それぞれの前記受信信号の位相差相互を対比して相関を判別させる
ことを特徴とする上記付記記載のプログラム。
［付記３０］
前記制御部に、
それぞれの前記受信信号の相関を検出する際に、各々の前記受信信号を制限増幅した後に、前記基準波を用いて一定の相関を有した搬送波を有するか判別させる
ことを特徴とする上記付記記載のプログラム。
［付記３１］
前記制御部に、
搬送波周期に一定の相関を有した前記受信信号相互を関連付ける際に、相関の有無を前記基準波に対する位相差両の閾値を基準に判別させる
ことを特徴とする上記付記記載のプログラム。
［付記３２］
前記制御部に、
それぞれの前記応答信号を成しているパルスに含まれている搬送波と基準波の位相差を参照して、所定範囲内の位相差を有したパルス群を同一飛翔体から送出された一つの応答信号として見做すと共に、
所定範囲内の位相差を有した異なる種類の前記応答信号を一つの応答信号群に関連付させる、
ことを特徴とするプログラム。
［付記３３］
上記付記記載のプログラムを非一時的に記録した記録媒体。
この出願は、２０１４年３月４日に出願された日本出願特願２０１４−０４１１７２号を基礎とする優先権を主張し、その開示の全てをここに取り込む。
【産業上の利用可能性】
【００１０】
本発明は、ワイドエリアマルチラテレーション（Ｗｉｄｅ  Ａｒｅａ  Ｍｕｌｔｉｌａｔｅｒａｔｉｏｎ：ＷＡＭ）やマルチラテレーション（Ｍｕｌｔｉｌａｔｅｒａｔｉｏｎ：ＭＬＡＴ）などに利用できる。
【符号の説明】
【００１１】
１０（１０−１〜１０−４）  受信局
１１  受信部
１２  信号処理部
１３  送信部
１４  受信信号搬送波位相識別部
１５  受信信号相関検出部
１６  受信信号関連付部
１７  時刻情報付与部
２０  中央局
３０  送受信局
１００  受信局
１１０  受信部
１１１  増幅器
１１２  受信処理部
１１３  受信ビデオ生成部
１２０  信号処理部
１２１  リミッティング増幅部
１２２  位相差検出部
１２３−１  パルス位相差相関部
１２３−２  リプライ位相差相関部
１２４  ブラケットパルス検出部
１２５  リプライ処理部
１２６  目標相関部
１２７  ＡＴＣＲＢＳ応答処理部
１２８  モードＳ応答処理部
１２９  ターゲット情報生成部
１３０  送信部
１４０  時刻情報生成部
１４１  ＧＰＳ受信機
１４２  時刻同期信号生成部
【図１】
2015133415.tif 000003
【図２】
2015133415.tif 000004
【図３】
2015133415.tif 000005
【図４】
2015133415.tif 000006
【図５】
2015133415.tif 000007
【図６】
2015133415.tif 000008
【図７】
2015133415.tif 000009
【図８】
2015133415.tif 000010
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
複数の受信局と中央局を含み、
前記複数の受信局は、飛翔体から送出された複数信号をそれぞれ受信信号として受信して、前記中央局にそれぞれの受信信号を各々通知し、
前記中央局は、前記複数の受信局から各々通知された前記飛翔体が送出した各受信信号に基づいて、前記飛翔体の位置測位を実行する
飛翔体位置測定システムであり、
前記受信局は、
前記複数信号をそれぞれ受信信号として受信する受信部と、
それぞれの前記受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部と、
関連付けられた前記受信信号群を前記中央局に通知する送信部と
を有する
ことを特徴とする飛翔体位置測定システム。
【請求項２】
前記受信局は、関連付けられた前記受信信号群にまとめて受信時刻を付与して前記中央局に通知する
ことを特徴とする請求項１記載の飛翔体位置測定システム。
【請求項３】
前記受信局は、
前記受信信号群を関連付ける際に、
同一種類の複数の受信信号は一つの受信信号を除いて削除すると共に、異なる種類の受信信号は一つの受信信号群として関連付けて、前記中央局に通知する
ことを特徴とする請求項１又は２に記載の飛翔体位置測定システム。
【請求項４】
前記飛翔体から送出された前記複数信号として、前記搬送波を用いて形成されたパルス波を並べたパルス列を受け付ける場合、
前記受信局は、
前記受信信号群を関連付ける際に、
一つの受信信号を形成しているパルス毎に搬送波と基準波の位相を参照し、一定の相関を有するパルス群をまとめて１つの受信信号として扱う
ことを特徴とする請求項１ないし３の何れか一項に記載の飛翔体位置測定システム。
【請求項５】
前記受信局は、
前記受信信号群を関連付ける際に、
測位対象となる飛翔体で用いられている搬送波周波数と同じ周波数を有する基準信号を前記基準波として使用して、それぞれの前記受信信号の前記基準波に対する位相差を識別し、それぞれの前記受信信号の位相差相互を対比して相関を判別する
ことを特徴とする請求項１ないし４の何れか一項に記載の飛翔体位置測定システム。
【請求項６】
前記受信局は、
それぞれの前記受信信号の相関を検出する際に、各々の前記受信信号を制限増幅した後に、前記基準波を用いて一定の相関を有した搬送波を有するか判別する
ことを特徴とする請求項１ないし５の何れか一項に記載の飛翔体位置測定システム。
【請求項７】
前記受信局は、
搬送波周期に一定の相関を有した前記受信信号相互を関連付ける際に、相関の有無を前記基準波に対する位相差両の閾値を基準に判別する
ことを特徴とする請求項１ないし６の何れか一項に記載の飛翔体位置測定システム。
【請求項８】
複数の受信局と中央局を含み、
前記複数の受信局は、航空機から送出されたＳＳＲモードＡ応答信号及びＳＳＲモードＣ応答信号を含む複数種類の応答信号をそれぞれ受信信号として受信して、ターゲット情報を生成して前記中央局に各々通知し、
前記中央局は、前記複数の受信局から各々通知された複数の前記ターゲット情報を用いて前記航空機の位置測位を実行する
飛翔体位置測定システムであり、
前記受信局は、
複数種類の前記応答信号を受信する受信部と、
それぞれの前記応答信号を成しているパルスに含まれている搬送波と基準波の位相差を参照して、所定範囲内の位相差を有したパルス群を同一飛翔体から送出された一つの応答信号として見做すと共に、所定範囲内の位相差を有した異なる種類の前記応答信号を一つの応答信号群に関連付ける信号処理部と、
関連付けられた前記応答信号群を前記中央局に通知する送信部と、
を有することを特徴とする飛翔体位置測定システム。
【請求項９】
飛翔体から送出された複数信号をそれぞれ受信信号として受信する受信部と、
それぞれの前記受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部と、
関連付けられた前記受信信号群を中央局に通知する送信部と
を有する
ことを特徴とする飛翔体位置測定システムの受信局。
【請求項１０】
前記受信局は、関連付けられた前記受信信号群にまとめて受信時刻を付与して前記中央局に通知する
ことを特徴とする請求項９記載の受信局。
【請求項１１】
複数の受信局と中央局を含む飛翔体位置測定システムで実行され、
前記複数の受信局は、飛翔体から送出された複数信号をそれぞれ受信信号として受信して、前記中央局にそれぞれの受信信号を各々通知し、
前記中央局は、前記複数の受信局から各々通知された前記飛翔体が送出した各受信信号に基づいて、前記飛翔体の位置測位を実行し、
前記受信局は、前記複数の受信信号を受信した際に、
それぞれの前記受信信号に含まれている搬送波と基準波の位相差を参照して、一定の相関を有する受信信号群を検出し、
所定範囲内の位相差を有した受信信号群を同一飛翔体から送出された受信信号群として関連付け、
関連付けられた前記受信信号群を前記中央局に通知する
ことを特徴とする飛翔体位置測位方法。
【請求項１２】
飛翔体位置測定システムを構成する受信局を、
それぞれの受信信号に含まれている搬送波と基準波の位相差を参照して、一定の相関を有する受信信号群を検出する受信信号位相差検出部と、
所定範囲内の位相差を有した受信信号群を同一飛翔体から送出された受信信号群として関連付ける受信信号関連付部、
として動作させることを特徴とするプログラム。
【国際調査報告】
2015133415.tif 000011
2015133415.tif 000012